(57)【特許請求の範囲】
【請求項１】
フレーム（１）と、互いに反対方向に上下運動可能な２つのリフティングバー対（6,7）と、前記リフティングバー対（6,7）に接続されているリフティングナイフ（８）と、それぞれリフティングバーの両端に配置されそれぞれのリフティングバーを駆動するクランク伝動装置（15）と、各リフティングを上下運動させるためにリフティングバーに前記クランク伝動装置（15）を接続しているレバー装置（18,19）とを具備する織機のためのジャカード機の開口装置において、各前記リフティングバー（6,7）が一方では前記レバー（18）に接続され、他方ではレバー装置（19,35）に接続され、レバー（18）は一方ではフレーム（１）に位置を固定して回動可能に接続され他方では前記リフティングバー（6,7）に回動可能に接続され、前記レバー装置（19,35）がレバー（24,36）及び連接棒（27,37）を有し、前記レバー（24）が前記連接棒（27）を介してフレーム（１）に接続されていることを特徴とする織機の開口装置。
【請求項２】
フレーム（１）と、互いに反対方向に上下運動可能な２つのリフティングバー対（6,7）と、前記リフティングバー対（6,7）に接続されているリフティングナイフ（８）と、それぞれリフティングバーの両端に配置されそれぞれのリフティングバーを駆動するクランク伝動装置（15）と、各リフティングを上下運動させるためにリフティングバーに前記クランク伝動装置（15）を接続しているレバー装置（18,19）とを具備する織機のためのジャカード機の開口装置において、各前記リフティングバー（6,7）が一方では前記レバー（18）に接続され、他方ではレバー装置（19,35）に接続され、レバー（18）は一方ではフレーム（１）に位置を固定して回動可能に接続され他方では前記リフティングバー（6,7）に回動可能に接続され、前記レバー装置（19,35）がレバー（24,36）及び連接棒（27,37）を有し、前記レバー（36）が前記連接棒（37）を介して前記リフティングバー（6,7）に接続されていることを特徴とする織機の開口装置。
【請求項３】
レバー装置（19）のレバー（24）が、リフティングバー（6,7）も回動可能に接続され、連接棒（27）が一方ではフレーム（１）に位置を固定して回動可能に接続され、他方ではレバー（24）に関節動作可能に接続されていることを特徴とする請求の範囲第１項に記載の織機の開口装置。
【請求項４】
レバー装置（35）のレバー（36）がフレーム（１）に位置を固定して回動可能に接続され、連接棒（37）が一方ではレバー（36）に他方ではリフティングバー（6,7）に回動可能に接続されていることを特徴とする請求の範囲第２項に記載の織機の開口装置。
【請求項５】
クランク伝動装置（15）が対をなしてリフティングバー（6,7）に配置され、各リフティングバー（6,7）の両端は、各前記リフティングバー（6,7）の両端が同時に上下運動可能であるように軸（10）の上に配置されていることを特徴とする請求の範囲第１項または第２項に記載の織機の開口装置。
【請求項６】
クランク伝動装置（15）が駆動クランク（16）及び連接棒（17）を有することを特徴とする請求の範囲第５項に記載の織機の開口装置。
【請求項７】
レバー（18）又はレバー装置（19,35）が位置調整装置（20,21）を介して連接棒（17）に接続され、これにより旋回角度が、各リフティングバー対（6,7）の端部の往復運動長が、平行ひ口を形成するために互いに等しく調整することも可能であり、斜めひ口を形成するために互いに等しくなく調整することも可能であることを特徴とする請求の範囲第６項に記載の織機の開口装置。
【請求項８】
リフティングナイフ（８）が、リフティングバーに回動可能に接続されているホルダ（30）に固定接続されていることを特徴とする請求の範囲第１項から第７項のうちのいずれか１つの項に記載の織機の開口装置。
【請求項９】
リフティングナイフ（８）の少なくとも端部が、フレーム（１）の中に固定されている案内装置（31）の中で案内されていることを特徴とする請求の範囲第８項に記載の織機の開口装置。
【請求項１０】
クランク伝動装置（15）を同期して駆動するために、各軸（10）の上に駆動輪（11）が固定され、両駆動輪は互いに動力伝達装置により連結されていることを特徴とする請求の範囲第１項または第２項に記載の織機の開口装置。
【請求項１１】
請求の範囲第１項から第10項のうちのいずれか１つの項に記載の装置を具備する織機。
【発明の詳細な説明】
本発明は、請求の範囲第１項の上位概念に記載の開口装置に関する。
ドイツ特許出願第3721932号明細書から、この形式の開口装置を有するジャカード紋織機が公知である。この開口装置では、２つの部分すなわちレバーから成るレバー装置が設けられており、一方のレバーは駆動装置に接続され、他方のレバーはナイフボックスのリフティングバーに接続されている。駆動装置は、桁材の中に配置されている方向変換ロールが走行する偏心器を有する。桁材には旋回運動を行う軸が固定され、この軸にレバーが固定されている。ナイフボックスのリフティングバーの中心は滑りガイドにより直線的に案内されて、ナイフエッジの旋回ずれを防止する。この滑りガイドは動作の確実性を劣化し、織機の速度を低下する。
本発明の課題は、ナイフボックスのリフティングバーを案内する滑りガイドなしに、リフティングバー長及び往復運動行程長と無関係に、正確で摩耗のない高速度の運動過程を保証する開口装置を提供することにある。
上記課題は本発明により請求の範囲第１項の特徴部分に記載の特徴により解決される。
本発明により得られる利点は、
−  リフティングバーの両端がレバー装置を介して案内され、
−  本発明の装置が、リフティングバーの運動のための駆動素子を僅かな数しか必要とせず、従って軽量であり、
−  リフティングバーの上下運動の際に発生するリフティングバーのずれが、往復運動行程が長い場合でも補償され、
−  本発明の装置が、リフティングバーを案内する滑りガイドを必要とせず、これにより高速度及び最小の潤滑油の注油及び僅かな騒音及び僅かな発生熱量及び摩耗なしの運動過程が保証され、確実な動作が保証されることにある。
１つの有利な実施例ではレバー装置のレバーがリフティングバーに回動可能に接続され、レバーが一方では、位置が安定状態のフレームに回動可能に接続され、他方では旋回可能なレバーに接続されている。
連接棒をフレームとレバーとの間に配置することにより本発明の装置を小型化でき、有利である。
クランク伝動装置が対をなしてリフティングバーに配置され、各リフティングバーの両端は、各リフティングバーの両端が同時に上下運動可能であるように軸の上に配置され、クランク伝動装置が駆動クランク及び連接棒を有すると有利である。この配置により運動経過が正確になり、有利である。
レバー又はレバー装置を位置調整装置を介して連接棒に接続することも可能であり、これにより旋回角度は各リフティングバー対の端部の往復運動長が、平行ひ口を形成するために互いに等しくなるように調整することも可能であり、斜めひ口を形成するために互いに等しくないように調整することも可能である。この配置の利点は、簡単な操作でひ口の位置決めが実現できることにある。
さらに、リフティングナイフに固定接続されリフティングバーに回動可能に接続されリフティングナイフを保持するホルダが設けられ、リフティングナイフの少なくとも端部が、フレームの中に固定されている案内装置の中で案内されると有利である。
これにより、リフティングナイフにより把持されたフックを正確に案内することが保証され、従ってフックの振動が、大きい行程数の場合でも防止される。
各軸の上に、クランク伝動装置を同期して駆動するために動的機構を介して駆動装置に接続されている駆動輪が固定されている。この配置の利点は、僅かな装置コストで正確な運動経過を実現できることにある。
次に本発明を添付の図面に基づいて説明する。
第１図は本発明の斜め開口装置の１つの実施例の側面図、第２図は第１図の開口装置の上面図、第３図と第４図はそれぞれ上部ひ口位置と下部ひ口位置にあるリフティングバーを示す第１図の装置の側面図、第５図は第１図のＶ−Ｖ切断線に沿って切断して示す断面図、第６図は開口装置のリフティングナイフの配置の１つの実施例の正面図、第７図は本発明の斜めひ口の開口装置の別の１つの実施例の側面図である。
第１図及び第２図が示すように開口装置はフレーム１を有し、フレーム１は、互いに間隔をおいて配置されている２つのサイドフレーム2,3と２つの軸4,5とを有し、軸4,5は回転不能にサイドフレーム2,3に接続されている。フレーム１には２つのリフティングバー対6,7が設けられ、リフティングバー対6,7は、互いに反対方向に上部ひ口位置と下部ひ口位置との間を上下運動可能であり、それぞれリフティングナイフ８が回動可能に接続され、これによりリフティングナイフ８は上下に動かされる。
フレーム１の中には２つの軸10が回転可能に支承され、軸10はサイドフレーム2,3を越えて突出している。各軸10の上にはそれぞれ１つの駆動輪11が固定され、両駆動輪11は歯付ベルト12等の動力伝達装置により互いに連結されている。軸10のうちの１つの軸の上には第２の駆動輪13が固定され、第２の駆動輪13は別の歯付ベルトを介して図示されていない主駆動装置に接続されている。
各リフティングバー対には４つのクランク伝動装置15が配置され、クランク伝動装置15は、それぞれ１つの駆動クランク16と、これに接続されている１つの連接棒17とを有する。クランク伝動装置15は対をなし、対毎に１つのリフティングバー対6,7に配置され、各リフティングバー対6,7の両端は軸10の上に配置され、これにより各リフティングバー対6,7の端部は同時に上下に動かされる。
クランク伝動装置15は駆動クランク16と連接棒17とを有する。一方のナイフ対のための駆動クランクすなわち動節16の従節接触面は、他方のナイフ対のための駆動クランク16の従節接触面に対して180゜ずれて配置され、これにより互いに反対に上下運動することが可能となる。
各リフティングバー6,7の一端はレバー18に接続され、他端はレバー装置19に接続され、さらにクランク伝動装置15の連接棒17に接続されている。連接棒17及びレバー18又はレバー装置19は、調整ねじ20により回動可能に接続され、調整ねじ20は細長穴21を貫通してその中で位置調整可能であり、これにより各レバー18又は各レバー装置19の旋回角度と、ひいては各リフティングバー対6,7のための往復運動高さとは個々に調整可能である。この配置によりリフティングバー対の各端部における往復運動高さは、平行ひ口を形成するために互いに等しくすることも可能であり、斜めひ口を形成するために互いに等しくなくすることも可能である。
レバー18は、互いに平行に走行する２つのウェブ22と、レバー18の旋回軸を位置決めする２つの軸受ブシュ23とから成る。レバー18は一方では、位置が安定している軸４に回動可能に接続され、他方では可動なリフティングバーに回動可能に接続されている。
レバー装置19は、２つのウェブ22と２つの軸受ブシュと１つの連接棒27を有する同形のレバー24から成る。レバー24は一方では、可動なリフティングバー6,7に回動可能に接続され、他方では旋回可能な連接棒27に回動可能に接続されている。連接棒27は、位置が固定している軸５に回動可能に接続されている。軸４の位置が固定されているときに、リフティングバー6,7が上下運動することによるレバー装置19の位置のずれは、連接棒27の回動運動により吸収される。連接棒27の最大の旋回は、破線により示されている。
明瞭のために第３図及び第４図にそれぞれ同一のリフティングバー対７が、それぞれ上部ひ口位置（第３図）及び下部ひ口位置（第４図）で示されている。これらの図が示すようにレバー18又はレバー24の旋回軸線の間の間隔は長く、平行ひ口又は斜めひ口を形成できるように定められている。
第５図が示すように連接棒27はそれぞれ１つの軸受ブシュ40を備え、ディスタンススリーブ41により互いに間隔をおいて固定軸５の上に配置され、ディスク42により横ずれが防止されている。軸受ブシュ23と連接棒27との間には軸受スリーブ43が設けられ、軸受スリーブ43はウェブ22を間隔を隔てて保持する役割も有する。軸受ブシュ23の一端はフランジ44と、ねじ45がねじ込まれる雌ねじとを有する。このねじ45によりウェブ22は軸受ブシュ23の上に固定されている。
各リフティングバー対6,8には複数のリフティングナイフ８が配置されている。第２図及び第６図が示すように個々のリフティングナイフはホルダ30によりリフティングバーに接続されている。リフティングナイフ８はホルダ30に固定接続され、ホルダ30はリフティングバーに回動可能に接続されている。各リフティングナイフ８は案内装置31の中で案内され、従ってリフティングナイフ８は直線形の上下運動を行う。これにより、リフティングナイフ８により把持可能なフック（図示せず）のずれが防止される。案内装置31は、サイドフレーム2,3の外側に固定されているプレート32から成る。プレート32の中にはスリット33が形成され、このスリット33を通ってリフティングナイフ８は延在しして上下運動の際に案内される。
第７図に示されている実施例が前述の開口装置と本質的な異なる点は、レバー装置にある。
レバー装置35はレバー36と連接棒37とを有する。レバー36は、互いに平行に走行するウェブから成り、これらのウェブは、その端部でレバー36の旋回軸を位置決めしている軸受ブシュ40,41により接続されている。この装置においてはレバー36は、位置が固定している軸５に回動可能に接続され、連接棒37は一方では、旋回可能なレバー36に回動可能に接続され、他方では可動なリフティングバー6,7に回動可能に接続されている。
【図５】
0003586466.tif 000002
【図１】
0003586466.tif 000003
【図２】
0003586466.tif 000004
【図３】
0003586466.tif 000005
【図４】
0003586466.tif 000006
【図６】
0003586466.tif 000007
【図７】
0003586466.tif 000008